【手続補正書】
【提出日】令和3年9月24日(2021.9.24)
【手続補正１】
【補正対象書類名】特許請求の範囲
【補正対象項目名】全文
【補正方法】変更
【補正の内容】
【特許請求の範囲】
【請求項１】
飲み物を抽出するための物質を収容して当該物質に注がれた液体を容器に落下させるドリッパーであって、
前記容器に溜められる液体に関する情報を利用して出力部からコンテンツを出力させるための処理を行うドリッパー。
【請求項２】
飲み物を抽出するための物質を収容して当該物質に注がれた液体を容器に落下させるドリッパーであって、
前記容器に溜められる液体に関する情報を利用して出力部からコンテンツを出力させるための制御を行う制御部を備えるドリッパー。
【請求項３】
飲み物を抽出するための物質を収容して当該物質に注がれた液体を容器に落下させるドリッパーであって、
前記容器に溜められる液体に関する情報のやり取りを他の機器との間で行う通信部を備えるドリッパー。
【請求項４】
飲み物を抽出するための物質を収容して当該物質に注がれた液体を容器に落下させるドリッパーを支持するためのスタンドであって、
前記収容部の上側にセンサを備えるスタンド。
【請求項５】
飲み物を抽出するための物質を収容して当該物質に注がれた液体を容器に落下させるドリッパーを支持するためのスタンドであって、
前記容器に溜められる液体に関する情報を取得するセンサを備えるスタンド。
【請求項６】
飲み物を抽出するための物質を収容して当該物質に注がれた液体を容器に落下させるドリッパーを支持するためのスタンドであって、
前記容器に溜められる液体に関する情報を出力するユーザインタフェースを備えるスタンド。
【請求項７】
飲み物を抽出するための物質にユーザにより注がれた液体を落下させるドリッパーと、前記ドリッパーから落下する液体を溜める容器との間に配置して使用可能であり、
前記容器に溜められる液体に関する情報を利用して出力部から、前記ユーザに対してコンテンツを提供するための処理を行う電子機器。
【請求項８】
飲み物を抽出するための物質に注がれた液体を落下させるドリッパーと、前記ドリッパーから落下する液体を溜める容器との間に配置して使用可能であり、
前記容器に溜められる液体に関する温度の計測が可能な温度センサと、当該液体に関する匂いの計測が可能な匂いセンサと、当該液体に関する音の計測が可能な音センサと、当該液体に関する重さの計測が可能な重さセンサと、当該液体に関する味覚の計測が可能な味覚センサとのうちの少なくとも１つを備える電子機器。
【請求項９】
飲み物を抽出するための物質に注がれた液体を落下させるドリッパーと、前記ドリッパーから落下する液体を溜める容器との間に配置して使用可能であり、
前記容器に溜められる液体に関する情報を利用して出力部からコンテンツを出力させるための制御を行う制御部を備える電子機器。
【請求項１０】
飲み物を抽出するための物質に注がれた液体を落下させるドリッパーと、前記ドリッパーから落下する液体を溜める容器との間に配置して使用可能であり、
前記容器に溜められる液体に関する情報を利用して出力部からコンテンツを出力させるための情報のやり取りを行う通信部を備える電子機器。
【請求項１１】
飲み物を抽出するための物質に注がれた液体を落下させるドリッパーと、前記ドリッパーから落下する液体を溜める容器との間に配置して使用可能であり、
前記容器に溜められる液体に関する情報のやり取りを他の機器との間で行う通信部を備える電子機器。
【請求項１２】
ユーザによる飲み物の抽出が行われる際に、容器に溜められる前記飲み物に関する情報を複数の所定タイミングで取得し、前記複数の情報を利用して前記ユーザにコンテンツを提供するための処理を行う電子機器。
【請求項１３】
複数の容器のそれぞれに入れられた各飲み物に関する情報を利用して当該各飲み物を飲む複数のユーザにコンテンツを提供する通信システムであって、
前記容器に入れられた飲み物に関する情報を取得して情報処理装置に送信する複数の電子機器と、
前記複数の電子機器から送信された各飲み物に関する情報に基づいて前記飲み物毎の判定情報を求め、当該判定情報に基づいて当該判定情報に係る電子機器に割り当てるコンテンツを決定し、当該決定されたコンテンツを当該電子機器に提供するための処理を行う情報処理装置と
を含む通信システム。
【請求項１４】
複数の容器のそれぞれに入れられた各飲み物に関する情報を利用して当該各飲み物を飲む複数のユーザにコンテンツを提供する情報処理装置であって、
前記飲み物に関する情報を複数の容器に入れられた各飲み物について取得し、
当該取得された飲み物に関する情報に基づいて前記飲み物毎の判定情報を求め、
当該判定情報に基づいて、当該判定情報に係る飲み物に割り当てるコンテンツを決定し、
当該決定されたコンテンツを当該飲み物に関連するユーザの電子機器に提供する制御部を備える
情報処理装置。
【請求項１５】
前記飲み物に関する情報は、前記飲み物を容器に溜める場合の当該生成の際と、当該生成された飲み物を容器に入れる際と、当該生成された飲み物を前記容器に入れた後との何れかにおいて、当該生成された飲み物に関する情報である
請求項１４に記載の情報処理装置。
【請求項１６】
複数の容器のそれぞれに入れられた各飲み物の表面に関する画像情報を利用して当該各飲み物を飲む複数のユーザにコンテンツを提供する情報処理装置であって、
前記飲み物の表面に関する画像情報または当該画像情報に関する特徴量を複数の容器に入れられた各飲み物について取得し、
当該取得された画像情報または当該画像情報に関する特徴量に基づいて前記飲み物毎の判定情報を求め、
当該判定情報に基づいて、当該判定情報に係る飲み物に割り当てるコンテンツを決定し、
当該決定されたコンテンツを当該飲み物に関連するユーザの電子機器に提供する制御部を備える
情報処理装置。
【請求項１７】
前記飲み物の表面に関する画像情報は、前記飲み物を容器に溜める場合の当該生成の際と、当該生成された飲み物を容器に入れる際と、当該生成された飲み物を前記容器に入れた後との何れかにおいて、当該生成された飲み物の表面に関する画像情報である
請求項１６に記載の情報処理装置。
【請求項１８】
前記制御部は、前記飲み物の表面に関して発生する自然現象に関する情報に基づいて前記判定情報を求める請求項１４乃至１７の何れかに記載の情報処理装置。
【請求項１９】
複数の容器のそれぞれに入れられた各飲み物に関する情報を利用して当該各飲み物を飲む複数のユーザにコンテンツを提供する情報処理方法であって、
前記飲み物に関する情報を複数の容器に入れられた各飲み物について取得する処理と、
当該取得された飲み物に関する情報に基づいて前記飲み物毎の判定情報を求める処理と、
当該判定情報に基づいて、当該判定情報に係る飲み物に割り当てるコンテンツを決定する処理と、
当該決定されたコンテンツを当該飲み物に関連するユーザの電子機器に提供する処理と
を含む情報処理方法。
【請求項２０】
複数の容器のそれぞれに入れられた各飲み物の表面に関する画像情報を利用して当該各飲み物を飲む複数のユーザにコンテンツを提供する情報処理方法であって、
前記飲み物の表面に関する画像情報または当該画像情報に関する特徴量を複数の容器に入れられた各飲み物について取得する処理と、
当該取得された画像情報または当該画像情報に関する特徴量に基づいて前記飲み物毎の判定情報を求める処理と、
当該判定情報に基づいて、当該判定情報に係る飲み物に割り当てるコンテンツを決定する処理と、
当該決定されたコンテンツを当該飲み物に関連するユーザの電子機器に提する処理と
を含む情報処理方法。
【請求項２１】
複数の容器のそれぞれに入れられた各飲み物に関する情報を利用して当該各飲み物を飲む複数のユーザにコンテンツを提供する情報処理機能をコンピュータに実現させるためのプログラムであって、
前記飲み物に関する情報を複数の容器に入れられた各飲み物について取得する機能と、
当該取得された飲み物に関する情報に基づいて前記飲み物毎の判定情報を求める機能と、
当該判定情報に基づいて、当該判定情報に係る飲み物に割り当てるコンテンツを決定する機能と、
当該決定されたコンテンツを当該飲み物に関連するユーザの電子機器に提供する機能と
をコンピュータに実現させるためのプログラム。
【請求項２２】
複数の容器のそれぞれに入れられた各飲み物の表面に関する画像情報を利用して当該各飲み物を飲む複数のユーザにコンテンツを提供する情報処理方法であって、
前記飲み物の表面に関する画像情報または当該画像情報に関する特徴量を複数の容器に入れられた各飲み物について取得する機能と、
当該取得された画像情報または当該画像情報に関する特徴量に基づいて前記飲み物毎の判定情報を求める機能と、
当該判定情報に基づいて、当該判定情報に係る飲み物に割り当てるコンテンツを決定する機能と、
当該決定されたコンテンツを当該飲み物に関連するユーザの電子機器に提する機能と
をコンピュータに実現させるためのプログラム。
【手続補正２】
【補正対象書類名】明細書
【補正対象項目名】発明の名称
【補正方法】変更
【補正の内容】
【発明の名称】ドリッパー、スタンド、電子機器、通信システム、情報処置装置、情報処理方法及びプログラム